(57)【要約】【課題】  ＡＶシステムやその周辺機器を１つのＡＶシステムコントローラーにて操作できるようにする。【解決手段】  ＡＶシステムコントローラー本体３の制御用出力ポート３０Ｂ，…には、マトリクススイッチャ２だけでなく、それ以外の様々な機器を自由に接続することができ、しかも、各機器の駆動を指示するためのコマンドラインはパソコン４を使って自由に編集できるように構成されているため、ＡＶシステムやその周辺機器を必要に応じて１つのＡＶシステムコントローラーだけで操作するようにすることができる。【選択図】  図１
2006261778.tif 000002
【特許請求の範囲】
【請求項１】
映像信号を出力する複数の映像信号ソース、該映像信号ソースからの映像信号を受信して映像を表示する少なくとも１つの映像表示装置、及び、該映像表示装置に供給される映像信号を切り替えるマトリクススイッチング機器からなるＡＶシステム、を制御するＡＶシステムコントローラーにおいて、
前記マトリクススイッチング機器及び前記ＡＶシステムの周辺機器を少なくとも接続するための複数の制御用出力ポートと、
これら複数の制御用出力ポートに接続された機器の一連の駆動の開始を指令するための複数のスイッチ手段と、
前記機器の個々の駆動を指示するためのコマンドを複数組み合わせて構成されたコマンドラインを、各スイッチ手段に関連付けて記憶する第１コマンドラインメモリ部と、
いずれかの前記スイッチ手段が操作されることに基づき、該操作されたスイッチ手段に関連付けられたコマンドラインを前記第１コマンドラインメモリ部から読み出して各コマンドに対応する前記制御用出力ポートに各コマンドにて指示された信号を送信する中央演算処理装置と、
該第１コマンドラインメモリ部との間でコマンドラインの入出力を行うためのコマンドライン入出力ポートと、
を有するＡＶシステムコントローラー本体、並びに、
個々の駆動を指示するためのコマンドを複数組み合わせて構成されたコマンドラインの内容を前記スイッチ手段に関連付けて表示するための表示部と、
該表示部に表示された画像を見ながら前記コマンドラインの編集操作入力を行うための編集入力部と、
編集されつつあるコマンドラインを前記表示部に表示すると共に前記編集入力部からの指示に従った処理の内容を表示する表示制御部と、
前記編集入力部による編集操作入力に応じてコマンドラインの編集を行うコマンドライン編集部と、
コマンドラインを前記各スイッチ手段に関連付けて記憶する第２コマンドラインメモリ部と、
を有するコマンドライン編集装置を備え、
該コマンドライン編集装置は、前記ＡＶシステムコントローラー本体のコマンドライン入出力ポートに接続可能に構成され、該接続された状態で、前記第１コマンドラインメモリ部と前記第２コマンドラインメモリ部との間でコマンドラインを入出力可能に構成された、
ことを特徴とするＡＶシステムコントローラー。
【請求項２】
前記コマンドライン編集装置はパソコンである、
ことを特徴とする請求項１に記載のＡＶシステムコントローラー。
【請求項３】
前記ＡＶシステムコントローラー本体は、各出力ポートの転送態様についての設定を記憶する第１出力ポート設定メモリ部を有し、
前記コマンドライン編集装置は、各出力ポートの転送態様についての設定を記憶する第２出力ポート設定メモリ部を有し、
前記表示部、前記編集入力部、前記表示制御部及び前記コマンドライン編集部は各出力ポートの転送態様についての設定を編集できるように構成され、
前記第１及び第２出力ポート設定メモリ部に記憶された設定は、前記コマンドライン編集装置が前記ＡＶシステムコントローラー本体に接続された状態で入出力可能に構成された、
ことを特徴とする請求項１又は２に記載のＡＶシステムコントローラー。
【請求項４】
前記マトリクススイッチング機器は、
前記映像信号ソースに接続される複数の映像信号入力ラインと、
前記映像表示装置に接続される少なくとも１つの映像信号出力ラインと、
これら複数の映像信号入力ラインと少なくとも１つの映像信号出力ラインとの間に介装されていて、映像信号入力ラインと映像信号出力ラインとの接続を切り替え可能な切り替え手段と、
により構成されたことを特徴とする請求項１乃至３のいずれか１項に記載のＡＶシステムコントローラー。
【請求項５】
請求項１乃至４のいずれか１項に記載のＡＶシステムコントローラーと、
映像信号を出力する複数の映像信号ソース、該映像信号ソースからの映像信号を受信して映像を表示する少なくとも１つの映像表示装置、及び、該映像表示装置に供給される映像信号を切り替えるマトリクススイッチング機器からなるＡＶシステムと、
を備えたＡＶ装置。
【発明の詳細な説明】
【技術分野】
【０００１】
本発明は、ＡＶシステムを構成する機器及びその周辺機器をリモートコントロールできるようにしたＡＶシステムコントローラー、及び該ＡＶシステムコントローラーを備えたＡＶ装置に関する。
【背景技術】
【０００２】
近年、講演会場や会議場やイベント会場などでは、映像信号を発生させる複数の映像信号ソース（例えば、ビデオテープレコーダ）と、映像を表示する映像表示装置（例えば、プロジェクター装置）と、これらの映像信号ソースと映像表示装置との間に介装されて映像信号を切り替えるマトリクススイッチャ（マトリクススイッチング機器）とによって、映像を自由に切り替え可能にしたＡＶシステムが構築されている（例えば、特許文献１，２，３参照）。
【０００３】
このようなＡＶシステムを使用するためには、マトリクススイッチャの操作を行うだけでなく、会場内の照明の調整や、ＡＶアンプの音量の調整や、スクリーンの上げ下げ等も行う必要がある。そこで、このような会場内の機器やマトリクススイッチャの操作をまとめてできるようにしたリモートコントローラー（ＡＶシステムコントローラー）について種々の提案がなされている（特許文献４及び５参照）。
【特許文献１】特開２００４−２５４２３２号公報
【特許文献２】特開２００４−２５４１７２号公報
【特許文献３】特開２００４−１７２８００号公報
【特許文献４】特開２００１−１３６４０７号公報
【特許文献５】特開２００５−００５８５７号公報
【発明の開示】
【発明が解決しようとする課題】
【０００４】
しかしながら、ＡＶシステムの構成や周辺機器の種類は会場毎に異なるものであり、それらを集中制御するためのＡＶシステムコントローラーとしては、制御する機器等を自由に設定できるようにしておく必要があり、かつ、その設定も簡単に行えることが望ましい。
そこで、本発明は、種々の機器を操作でき、かつ、その設定作業が容易であるＡＶシステムコントローラー、及び該ＡＶシステムコントローラーを備えたＡＶ装置を提供することを目的とするものである。
【課題を解決するための手段】
【０００５】
請求項１に係る発明は、図１に例示するものであって、映像信号を出力する複数の映像信号ソース（Ａ１〜Ａ８）、該映像信号ソース（Ａ１〜Ａ８）からの映像信号を受信して映像を表示する少なくとも１つの映像表示装置（Ｂ１，Ｂ２，Ｂ３）、及び、該映像表示装置（Ｂ１，Ｂ２，Ｂ３）に供給される映像信号を切り替えるマトリクススイッチング機器（２）からなるＡＶシステム（１）、を制御するＡＶシステムコントローラー（５）において、
前記マトリクススイッチング機器（２）及び前記ＡＶシステム（１）の周辺機器（Ｃ１，Ｃ２）を少なくとも接続するための複数の制御用出力ポート（３０Ｂ，３０Ｃ，３０Ｄ）と、
これら複数の制御用出力ポート（３０Ｂ，３０Ｃ，３０Ｄ）に接続された機器の一連の駆動の開始を指令するための複数のスイッチ手段（Ｅ１０，Ｅ１１，Ｅ１２，…）と、
前記機器の個々の駆動を指示するためのコマンドを複数組み合わせて構成されたコマンドライン（図４のＳ２→Ｓ３→…→Ｓ９参照）を、各スイッチ手段（Ｅ１０，Ｅ１１，Ｅ１２，…）に関連付けて記憶する第１コマンドラインメモリ部（３２）と、
いずれかの前記スイッチ手段（Ｅ１０，Ｅ１１，Ｅ１２，…）が操作されることに基づき、該操作されたスイッチ手段（Ｅ１０，Ｅ１１，Ｅ１２，…）に関連付けられたコマンドライン（図４のＳ２→Ｓ３→…→Ｓ９参照）を前記第１コマンドラインメモリ部（３２）から読み出して各コマンドに対応する前記制御用出力ポート（３０Ｂ，３０Ｃ，３０Ｄ）に各コマンドにて指示された信号を送信する中央演算処理装置（３１）と、
該第１コマンドラインメモリ部（３２）との間でコマンドラインの入出力を行うためのコマンドライン入出力ポート（３０Ａ）と、
を有するＡＶシステムコントローラー本体（３）、並びに、
個々の駆動を指示するためのコマンドを複数組み合わせて構成されたコマンドラインの内容を前記スイッチ手段（Ｅ１０，Ｅ１１，Ｅ１２，…）に関連付けて表示するための表示部（４０）と、
該表示部（４０）に表示された画像を見ながら前記コマンドラインの編集操作入力を行うための編集入力部（４１）と、
編集されつつあるコマンドラインを前記表示部（４０）に表示すると共に前記編集入力部（４１）からの指示に従った処理の内容を表示する表示制御部（４２）と、
前記編集入力部（４１）による編集操作入力に応じてコマンドラインの編集を行うコマンドライン編集部（４３）と、
コマンドラインを前記各スイッチ手段（Ｅ１０，Ｅ１１，Ｅ１２，…）に関連付けて記憶する第２コマンドラインメモリ部（４４）と、
を有するコマンドライン編集装置（４）を備え、
該コマンドライン編集装置（４）は、前記ＡＶシステムコントローラー本体（３）のコマンドライン入出力ポート（３０Ａ）に接続可能に構成され、該接続された状態で、前記第１コマンドラインメモリ部（３２）と前記第２コマンドラインメモリ部との間でコマンドラインを入出力可能に構成された、ことを特徴とする。
【０００６】
請求項２に係る発明は、請求項１に係る発明において、前記コマンドライン編集装置（４）がパソコンである、ことを特徴とする。
【０００７】
請求項３に係る発明は、請求項１又は２に記載の発明において、前記ＡＶシステムコントローラー本体（３）は、各出力ポート（３０Ａ，…）の転送態様についての設定を記憶する第１出力ポート設定メモリ部（３３）を有し、
前記コマンドライン編集装置（４）は、各出力ポート（３０Ａ，…）の転送態様についての設定を記憶する第２出力ポート設定メモリ部（４５）を有し、
前記表示部（４０）、前記編集入力部（４１）、前記表示制御部（４２）及び前記コマンドライン編集部（４３）は各出力ポートの転送態様についての設定を編集できるように構成され、
前記第１及び第２出力ポート設定メモリ部（３３，４５）に記憶された設定は、前記コマンドライン編集装置（４）が前記ＡＶシステムコントローラー本体（３）に接続された状態で入出力可能に構成された、ことを特徴とする。
【０００８】
請求項４に係る発明は、請求項１乃至３のいずれか１項に記載の発明において、前記マトリクススイッチング機器（２）が、
前記映像信号ソース（Ａ１〜Ａ８）に接続される複数の映像信号入力ライン（Ｉｉｎ１，…）と、
前記映像表示装置（Ｂ１，Ｂ２，Ｂ３）に接続される少なくとも１つの映像信号出力ライン（Ｉｏｕｔ１，…）と、
これら複数の映像信号入力ライン（Ｉｉｎ１，…）と少なくとも１つの映像信号出力ライン（Ｉｏｕｔ１，…）との間に介装されていて、映像信号入力ライン（Ｉｉｎ１，…）と映像信号出力ライン（Ｉｏｕｔ１，…）との接続を切り替え可能な切り替え手段（２０Ａ，２０Ｂ）と、により構成されたことを特徴とする。
【０００９】
請求項５に係る発明は、請求項１乃至４のいずれか１項に記載のＡＶシステムコントローラー（５）と、
映像信号を出力する複数の映像信号ソース（Ａ１〜Ａ８）、該映像信号ソース（Ａ１〜Ａ８）からの映像信号を受信して映像を表示する少なくとも１つの映像表示装置（Ｂ１，Ｂ２，Ｂ３）、及び、該映像表示装置（Ｂ１，Ｂ２，Ｂ３）に供給される映像信号を切り替えるマトリクススイッチング機器（２）からなるＡＶシステム（１）と、
を備えたＡＶ装置に関する。
【００１０】
なお、括弧内の番号などは、図面における対応する要素を示す便宜的なものであり、従って、本記述は図面上の記載に限定拘束されるものではない。
【発明の効果】
【００１１】
請求項１乃至５に係る発明によれば、ＡＶシステムコントローラー本体の制御用出力ポートにはマトリクススイッチング機器以外の機器も接続可能であり、各機器の駆動を指示するためのコマンドラインは編集可能に構成されているため、種々の機器の駆動を１つのＡＶシステムコントローラー本体だけで操作することができる。しかも、駆動する機器のメーカーや機種を問わずＡＶシステムコントローラー本体で操作することができる。また、コマンドライン編集装置による編集は、表示部を見ながら編集入力部を操作するという対話式により行うことができるため、その編集作業が簡単になる。
【発明を実施するための最良の形態】
【００１２】
以下、図１等に沿って、本発明を実施するための最良の形態について説明する。ここで、図１は、本発明に係るＡＶシステムコントローラーの構成及び接続状態の一例を示すブロック図である。
【００１３】
本発明に係るＡＶシステムコントローラーが使用されるＡＶシステムは、図１に符号１で例示するように、
・  映像信号を出力する複数の映像信号ソースＡ１〜Ａ８と、
・  該映像信号ソースからの映像信号を受信して映像を表示する少なくとも１つの映像表示装置Ｂ１，Ｂ２，Ｂ３と、
・  該映像表示装置Ｂ１，Ｂ２，Ｂ３に供給される映像信号を切り替えるマトリクススイッチング機器２と、
により構成されるものである。
【００１４】
ここで、映像信号ソースとしては、
・  ビデオテープレコーダＡ１やＤＶＤプレーヤーＡ２やチューナーＡ３のようにＮＴＳＣ信号を出力するものと、
・  パソコンＡ５，Ａ６，Ａ７やカメラＡ８などのようにＲＧＢ信号を出力するものと、
を挙げることができる。図示のＡＶシステム１ではＮＴＳＣ信号及びＲＧＢ信号の両方の映像信号を使用しているが、いずれか一方のみを使用するようにしても良い。また、映像表示装置としては、プラズマディスプレイ装置Ｂ１やプロジェクター装置Ｂ２，Ｂ３やＣＲＴ（不図示）や液晶ディスプレイ装置（同じく不図示）を挙げることができる。
【００１５】
一方、マトリクススイッチング機器２は、
・  前記映像信号ソースＡ１〜Ａ８に接続される複数の映像信号入力ラインIin1〜Iin8と、
・  前記映像表示装置Ｂ１，Ｂ２，Ｂ３に接続される少なくとも１つの映像信号出力ラインIout1，Iout2，Iout3と、
・  これら複数の映像信号入力ラインIin1〜Iin8と少なくとも１つの映像信号出力ラインIout1，Iout2，Iout3との間に介装されていて、映像信号入力ラインIin1〜Iin8と映像信号出力ラインIout1，Iout2，Iout3との接続を切り替え可能な切り替え手段２０Ａ，２０Ｂと、
により構成されている。なお、符号２１はアップコンバータを示し、符号２２は音声マトリックススイッチャーを示すが、これらのアップコンバータ２１や音声マトリクススイッチャーを有するマトリクススイッチング機器を用いても、有さないマトリクススイッチング機器を用いても良い。マトリクススイッチング機器２としては、特開２００４−２５４２３２号公報、特開２００４−２５４１７２号公報、特開２００４−１７２８００号公報及び特開２００３−１５３０８１号公報に記載のマルチシグナルマトリクススイッチャを使用しても良い。
【００１６】
ところで、本発明に係るＡＶシステムコントローラー（図１の符号５参照）は、ＡＶシステムを構成する機器の少なくとも一部を制御するものであって、
・  前記マトリクススイッチング機器２やＡＶシステム１を構成する機器（例えば、映像信号ソース等）やＡＶシステム１の周辺機器を接続してそれらの機器を操作するように構成されたＡＶシステムコントローラー本体３と、
・  ＡＶシステムコントローラー本体３に接続可能に構成されていて、それらの機器の一連の駆動を指示するためのコマンドラインを編集等するためのコマンドライン編集装置４と、
を備えている。なお、ＡＶシステムの周辺機器とは、ＡＶシステムによる映像表示に直接的に又は間接的に関係のある電気機器の全てを意味し、例えば、
・  プロジェクター用スクリーンの昇降モータを制御するスクリーン制御ユニットＣ１や、
・  カーテンの開閉を行うモータ（不図示）や、
・  会場内の照明装置（不図示）
等を挙げることができる。
【００１７】
そして、ＡＶシステムコントローラー本体３は、
・  少なくとも前記マトリクススイッチング機器２及び前記ＡＶシステムの周辺機器を接続するための複数の制御用出力ポート３０Ｂ，３０Ｃ，３０Ｄと、
・  これら複数の制御用出力ポート３０Ｂ，３０Ｃ，３０Ｄに接続された機器の一連の駆動の開始を指令するための複数のスイッチ手段Ｅ１０，Ｅ１１，Ｅ１２，…と、
・  コマンド（つまり、前記機器の個々の駆動を指示するためのコマンド）を複数組み合わせて構成されたコマンドラインを、各スイッチ手段Ｅ１０，Ｅ１１，Ｅ１２，…に関連付けて記憶する第１コマンドラインメモリ部３２と、
・  いずれかの前記スイッチ手段Ｅ１０，Ｅ１１，Ｅ１２，…が操作されることに基づき、該操作されたスイッチ手段に関連付けられたコマンドラインを前記第１コマンドラインメモリ部３２から読み出して各コマンドに対応する前記制御用出力ポート３０Ｂ，３０Ｃ，３０Ｄに各コマンドにて指示された信号を送信する中央演算処理装置３１と、
・  該第１コマンドラインメモリ部３２との間でコマンドラインの入出力を行うためのコマンドライン入出力ポート３０Ａと、
を有している。
【００１８】
他方のコマンドライン編集装置４は、
・  コマンド（つまり、前記機器の個々の駆動を指示するためのコマンド）を複数組み合わせて構成されたコマンドラインの内容を前記スイッチ手段Ｅ１０，Ｅ１１，Ｅ１２，…に関連付けて表示するための表示部４０と、
・  該表示部４０に表示された画像を見ながら前記コマンドラインの編集操作入力を行うための編集入力部４１と、
・  編集されつつあるコマンドラインを前記表示部４０に表示すると共に前記編集入力部４１からの指示に従った処理の内容を表示する表示制御部４２と、
・  前記編集入力部４１による編集操作入力に応じてコマンドラインの編集を行うコマンドライン編集部４３と、
・  コマンドラインを前記各スイッチ手段Ｅ１０，Ｅ１１，Ｅ１２，…に関連付けて記憶する第２コマンドラインメモリ部４４と、
を有している。そして、このコマンドライン編集装置４は、前記ＡＶシステムコントローラー本体３のコマンドライン入出力ポート３０Ａに接続可能に構成され、該接続された状態で、前記第１コマンドラインメモリ部３２と前記第２コマンドラインメモリ部４４との間でコマンドラインを入出力可能に構成されている。該コマンドライン編集装置４にはパソコンを用いることができる。
【００１９】
本発明によれば、ＡＶシステムコントローラー本体３の制御用出力ポート３０Ｂ，…にはマトリクススイッチング機器以外の機器（図１の符号Ｃ１，Ｃ２参照）も接続可能であり、各機器の駆動を指示するためのコマンドラインは編集可能に構成されているため、種々の機器の駆動を１つのＡＶシステムコントローラー本体３だけで操作することができる。しかも、駆動する機器のメーカーや機種を問わずＡＶシステムコントローラー本体３で操作することができる。また、コマンドライン編集装置４による編集は、表示部４０を見ながら編集入力部４１を操作するという対話式により行うことができるため、その編集作業が簡単になる。さらに、コマンドラインは複数のコマンドにより構成されたものであるので、１つのスイッチ手段によって１つの命令のみが実行されるのではなく、複数の機器に対する複数の命令をシーケンシャルに実行されるようにでき、さらには、命令と命令との間に遅延時間を適宜設けることも可能であるので、ＡＶシステムの構成に応じた細かな設定を柔軟にすることができる。
【００２０】
なお、各出力ポート３０Ａ，…の転送態様についての設定（例えば、シリアルポートにおける通信速度やデータ長やストップビット長等の設定）を記憶する第２出力ポート設定メモリ部４５を前記コマンドライン編集装置４に設けておいて、上述した表示部４０、編集入力部４１、表示制御部４２及びコマンドライン編集部４３は各出力ポート３０Ａ，…の転送態様についての設定を編集できるようにしておくと良い。また、各出力ポート３０Ａ，…の転送態様についての設定を記憶する第１出力ポート設定メモリ部３３を前記ＡＶシステムコントローラー本体３に設けておいて、前記第１及び第２出力ポート設定メモリ部３３，４５に記憶された設定は、前記コマンドライン編集装置４が前記ＡＶシステムコントローラー本体３に接続された状態で入出力可能に構成しておくと良い。
【００２１】
ところで、各スイッチ手段Ｅ１０，Ｅ１１，Ｅ１２，…については、
・  そのスイッチ手段の命令実行を最優先にするモード、別の言い方をすれば、そのスイッチ手段が命令実行中のときに仮に他のスイッチ手段がＯＮされても実行中の命令を最優先で完了させるモード（キーロックモード）と、
・  他のスイッチ手段の命令実行中であっても、そのスイッチ手段がキーロックモードで無い場合は、割り込み可能となるモード（割り込みモード）と、
を設定可能にしておくと良い。ここで、割り込みモードについて詳述する。いま、一のスイッチ手段Ｅ１ｉがＯＮされて、そのコマンドラインが実行されている最中に、他のスイッチ手段Ｅ１ｊがＯＮされたとする。ここで、一のスイッチ手段Ｅ１ｉがキーロックモードに設定されておらず、他のスイッチ手段Ｅ１ｊが割り込みモードに設定されている場合には、他のスイッチ手段Ｅ１ｊの割り込みが許可されることとなり、該他のスイッチ手段Ｅ１ｊに設定されているコマンドラインが実行されることとなる。この場合、
・  一のスイッチ手段Ｅ１ｉのコマンドラインの完了まで待って、他のスイッチ手段Ｅ１ｊのコマンドラインが開始されるようにしても、
・  一のスイッチ手段Ｅ１ｉのコマンドラインの実行を直ぐに中止し、他のスイッチ手段Ｅ１ｊのコマンドラインが開始され、該コマンドラインが終了した時点で、一のスイッチ手段Ｅ１ｉのコマンドラインを再開させるようにしても、
どちらでも良い。
【００２２】
ところで、本発明に係るＡＶ装置は、上述した構成のＡＶシステムコントローラー５と、ＡＶシステム１とにより構成されたものである。そして、ＡＶシステム１は、上述したように、
・  映像信号を出力する複数の映像信号ソースＡ１〜Ａ８と、
・  該映像信号ソースからの映像信号を受信して映像を表示する少なくとも１つの映像表示装置Ｂ１，Ｂ２，Ｂ３と、
・  該映像表示装置Ｂ１，Ｂ２，Ｂ３に供給される映像信号を切り替えるマトリクススイッチング機器２と、
により構成されるものである。
【実施例１】
【００２３】
本実施例においては、図１に示すＡＶ装置を構築した。すなわち、符号２に示すマルチシグナルマトリクススイッチャ（マトリクススイッチング機器。興和株式会社製のＫＳＭ０８０２Ｓ）を用い、その映像信号入力ラインIin1〜Iin8には、ビデオテープレコーダＡ１やＤＶＤプレーヤーＡ２やチューナーＡ３やビデオテープレコーダＡ４やパソコンＡ５，Ａ６，Ａ７やカメラＡ８をそれぞれ接続し、映像信号出力ラインIout1，Iout2，Iout3には、プラズマディスプレイ装置Ｂ１やプロジェクター装置Ｂ２，Ｂ３をそれぞれ接続した。そして、これら２つのプロジェクター装置Ｂ２，Ｂ３の画像投影用のスクリーンをそれぞれ配置した（不図示）。また、パソコン（コマンドライン編集装置）４とＡＶシステムコントローラー本体３とからなるＡＶシステムコントローラー５を配置して、ＡＶシステムコントローラー本体３のＲＳ２３２Ｃポート３０Ａにはパソコン４を接続し、制御用出力ポート３０Ｂ，…には種々の機器を接続した。なお、それらの機器を接続するための制御用出力ポートは、図１では３つ（符号３０Ｂ，３０Ｃ，３０Ｄ参照）しか示していないが、本実施例では、図２に示すように、符号３０Ｂ，３０Ｇ，３０Ｈに示すシリアルポートと、符号３０Ｃ，３０Ｄ，３０Ｅ，３０Ｆに示すパラレルポートとを配置した。ここで、図２は、ＡＶシステムコントローラー本体の出力ポート等の構成の一例を示す背面図であり、本実施例においては、シリアルポート３０Ｂにはマルチシグナルマトリクススイッチャ２を接続し、シリアルポート３０Ｇには第１のプロジェクター装置（図１のＢ２参照）を接続し、シリアルポート３０Ｈには第２のプロジェクター装置（図１のＢ３参照）を接続した。また、パラレルポート３０Ｃには第１のスクリーンの制御ユニット（図１のＣ１参照）を接続し、パラレルポート３０Ｄには電源制御ユニット（図１の符号Ｃ２参照）を接続し、パラレルポート３０Ｅには第２のスクリーンの制御ユニット（不図示）を接続した。さらに、パラレルポート３０Ｆには、照明装置やカーテン開閉モータを接続した。なお、符号３７は、データの書き込みや読み込み時に設定をするための設定用ディップスイッチである。
【００２４】
図３は、ＡＶシステムコントローラー本体のボタンの配列の一例を示す正面図であり、符号Ｅ１０は、ＡＶシステムコントローラー本体３の電源のＯＮ／ＯＦＦを行う電源ボタンを示し、符号３８Ａは、第１のプロジェクター装置Ｂ２及び第１のスクリーンの操作を行うためのボタン群を示し、符号３８Ｂは、第２のプロジェクター装置Ｂ３及び第２のスクリーンの操作を行うためのボタン群を示す。これらのボタン群において、Ｆ１及びＦ５は、プロジェクター装置の電源のＯＮ／ＯＦＦを行う電源ボタンを示し、Ｆ２及びＦ６はスクリーンの上昇を指示するためのボタンを示し、Ｆ３，Ｆ７はスクリーンの降下を指示するためのボタンを示し、Ｆ４，Ｆ８はスクリーンの停止を指示するためのボタンを示す。また、１−１〜１−８及び２−１〜２−８は、映像信号入力ラインIin1〜Iin8を切り替えるためのボタンを示す。なお、これらのボタン１−１〜１−８及び２−１〜２−８については、選択されているボタンだけが点灯するようにし、１つのボタンが点灯している状態において、
・  他のボタン（消灯状態にあるボタン）を押すと入力ソースが切り替えられ、
・  点灯状態にあるボタン自体を押すと、全てのボタンが消灯状態となって、全ての入力ソースがＯＦＦになる、
ようにした。さらに、Ｎ１〜Ｎ４はＮＴＳＣ出力を切り替えるためのボタンであり、Ｆ９〜Ｆ１６は、初期状態では何もプログラムされていない予備のボタンである。
【００２５】
一方、パソコン４には各ボタンにコマンドを割り付けるためのユーティリティソフトをインストールし、パソコン４を用いて各ボタンにコマンドを割り付けるようにした。図４は、電源ボタンに割り付けられたコマンドラインの一例を示すフローチャート図であり、このコマンドラインでは、電源ボタンがＯＮにされることに基づき（Ｓ１）、
・  電源制御ユニットが起動され（Ｓ２）、
・  スクリーン降下制御がなされ（Ｓ３）、
・  マルチシグナルマトリクススイッチャ２が起動され（Ｓ４）、
・  ５秒間の遅延時間が設けられ（Ｓ５）、
・  プラズマディスプレイ装置の電源がＯＮにされ（Ｓ６）、
・  さらに５秒間の遅延時間が設けられ（Ｓ７）、
・  プラズマディスプレイ装置の入力切り替えがなされ（Ｓ８）、
・  マルチシグナルマトリクススイッチャ制御により所定の映像信号がプラズマディスプレイ装置に供給される（Ｓ９）、
ように設定をした。また、図５は、ある切り替えボタンに割り付けられたコマンドラインの一例を示すフローチャート図であり、このコマンドラインでは、切り替えボタンがＯＮにされることに基づき（Ｓ１１）、
・  マルチシグナルマトリクススイッチャ２が制御されて入力ソースが切り替えられ（Ｓ１２），
・  その映像を表示させるプラズマディスプレイ装置の画郭を切り替え（Ｓ１３）、
・  プラズマディスプレイ装置の音量が最適となるように調整される（Ｓ１４）、
ように設定した。そして、Ｆ９〜Ｆ１６のボタンには、照明のＯＮ／ＯＦＦや、カーテンの開／閉等のコマンドを適宜割り付けた。
【００２６】
次に、パソコン上のユーティリティソフトによるコマンドラインの編集作成方法について説明する。
【００２７】
まず、パソコン４においてユーティリティソフトを起動し、画面４０に起動画面を表示させる。この起動画面では、新規のコマンドラインを作成するか、既存のコマンドラインを編集するかをＧＵＩのボタンをクリックすることで選択できるようになっている。
【００２８】
既存のコマンドラインの編集を選択した場合、ファイル（編集すべきデータが格納されているファイル）を指定するための画面が開くので、該当するファイルをクリックして開く。
【００２９】
上述のようにファイルをクリックした場合、及びコマンドラインの新規作成を選択した場合には、
・  ボタンにコマンドラインを割り付ける作業
・  出力ポートの転送態様についての設定を行う作業
を選択するための画面が表示される。
【００３０】
ここで、前者（ボタンにコマンドラインを割り付ける作業）を選択すると、図３のような図形（ＡＶシステムコントローラ本体に配置されている全てのボタンを示す図形）が画面４０に表示される。そして、設定したいボタンをクリックすると、コマンドライン割り付け画面が表示され、そのボタンについて、
・  ボタン名称の登録
・  割り込みモードの有効／無効の登録
・  キーロックモードの有効／無効の登録
・  主コマンドの登録
・  連動コマンドの登録
を入力できるようになる。なお、上述のように登録したボタン名称は、プリントアウトして、各ボタンに貼付できるようになっている。
【００３１】
一方、“出力ポートの転送態様についての設定を行う作業”を選択した場合には、出力ポートの設定画面が表示され、各シリアルポートについては、
・  そのポートを有効にするか否かの設定
・  ポートの出力先についての設定
・  通信速度／データ長／ストップビット長／パリティチェック／フロー制御についての設定
等を行い、各パラレルポートについては、
・  そのポートを有効にするか否かの設定
・  モーメンタリー／オルタネートの選択
・  モーメンタリー保持時間の設定
等を行うようになっている。そして、この出力ポート設定画面における設定を終了させて、該画面で「次へ」をクリックすると、上述のようなコマンドライン割り付け画面が表示され、上述のように各ボタンにコマンドライン等を設定できるようになっている。
【００３２】
このようにして全ての設定が終了した段階で、画面に表示されたＧＵＩの“保存ボタン”をクリックすると、コマンドラインの内容が第２コマンドラインメモリ部４４に保存され、各出力ポートの設定内容が第２出力ポート設定メモリ部４５に保存される。
【００３３】
なお、ＡＶシステムコントローラー本体３側の第１コマンドラインメモリ部３２及び第１出力ポート設定メモリ部３３の記憶内容を、パソコン側の第２コマンドラインメモリ部４４及び第２出力ポート設定メモリ部４５に読み込んだり、逆に、書き込んだりすることができるようになっており、読み込み或いは書き込みの指示は、ユーティリティソフトの起動画面にて行うようになっている。本実施例においては、コマンドラインの編集等は、パソコン４にて行うだけであって、ＡＶシステムコントローラー本体３では行えないようになっている。
【図面の簡単な説明】
【００３４】
【図１】図１は、本発明に係るＡＶシステムコントローラーの構成及び接続状態の一例を示すブロック図である。
【図２】図２は、ＡＶシステムコントローラー本体の出力ポート等の構成の一例を示す背面図である。
【図３】図３は、ＡＶシステムコントローラー本体のボタンの配列の一例を示す正面図である。
【図４】図４は、電源ボタンに割り付けられたコマンドラインの一例を示すフローチャート図である。
【図５】図５は、ある切り替えボタンに割り付けられたコマンドラインの一例を示すフローチャート図である。
【符号の説明】
【００３５】
１                ＡＶシステム
２                マトリクススイッチング機器（マルチシグナルマトリクススイッチャ）
３                ＡＶシステムコントローラー本体
４                コマンドライン編集装置（パソコン）
５                ＡＶシステムコントローラー
２０Ａ，２０Ｂ    切り替え手段
３０Ａ                      コマンドライン入出力ポート（ＲＳ２３２Ｃポート）
３０Ｂ，３０Ｃ，３０Ｄ      制御用出力ポート
３１              中央演算処理装置
３２              第１コマンドラインメモリ部
３３              第１出力ポート設定メモリ部
４０              表示部（画面）
４１              編集入力部
４２              表示制御部
４３              コマンドライン編集部
４４              第２コマンドラインメモリ部
４５              第２出力ポート設定メモリ部
Ａ１，…，Ａ８    映像信号ソース
Ｂ１，Ｂ２，Ｂ３  映像表示装置
Ｃ１，Ｃ２        周辺機器
Ｅ１０，Ｅ１１，…    スイッチ手段（ボタン）
Ｉｉｎ１，…      映像信号入力ライン
Ｉｏｕｔ１，…    映像信号出力ライン
【図１】
2006261778.tif 000003
【図２】
2006261778.tif 000004
【図３】
2006261778.tif 000005
【図４】
2006261778.tif 000006
【図５】
2006261778.tif 000007